【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
最も頻繁に選択される文字の頻度に基づいてユーザー選択のために配置された前記文字のオンスクリーンキーボードを表示する方法であって、前記文字は最も頻繁に選択される中央に置かれた文字の周囲に配置され、１つまたは複数の前記文字を再配置するためのユーザー入力を受け取ると、現在表示されている前記文字が、現在表示されている前記文字とは異なる配置に再配置され、前記方法が、
前記オンスクリーンキーボードにおいて移動し、オンスクリーンテキスト入力のために前記文字を選択するようにフォーカスを位置付けるユーザー入力を受け取るステップと、
文字が選択された後、前記オンスクリーンキーボードにおいて、次に最も選択される可能性の高い文字、または、前記中央に置かれた文字に戻るように前記フォーカスの位置を戻すステップと、
を含む方法。
【請求項２】
前記オンスクリーンキーボードは、或る言語に関するアルファベットの前記文字を含むように表示され、前記文字は、前記言語の語の中で最も頻繁に出現する前記文字の前記頻度に基づいて、ユーザー選択のために配置される、請求項１に記載の方法。
【請求項３】
前記オンスクリーンキーボードは、或る職業において使用される特定の用語の前記文字を含むように表示され、前記特定の用語は、前記職業の前記用語の中で最も頻繁に出現する前記特定の用語の前記頻度に基づいて、ユーザー選択のために配置される、請求項１に記載の方法。
【請求項４】
前記オンスクリーンキーボードは、最も頻繁に使用される数字の頻度に基づいてユーザー選択のために配置された前記数字を含むようにさらに表示される、請求項１に記載の方法。
【請求項５】
前記オンスクリーンキーボードは、前記オンスクリーンテキスト入力を円滑にするユーザーが選択できるコントロールを含むようにさらに表示される、請求項１に記載の方法。
【請求項６】
前記オンスクリーンキーボードは、１つまたは複数の選択された文字、および知られている語に基づいて選択可能でない文字を含むようにさらに表示される、請求項１に記載の方法。
【請求項７】
文字が選択された後、同一の文字を２回選択すること、および、別の文字を選択すること、のうちの少なくとも１つのために、連続するユーザー入力の合間に時間遅延を開始するステップをさらに含む、請求項１に記載の方法。
【請求項８】
グラフィカルユーザーインターフェース上で表示するためのオンスクリーンキーボードを生成するように構成されたキーボードモジュールであって、前記オンスクリーンキーボードは、最も頻繁に選択される文字の頻度に基づいて選択のために配置された前記文字を含み、前記文字は、最も頻繁に選択される中央に置かれた文字の周囲に配置され、１つまたは複数の前記文字を再配置するためのユーザー入力を受け取ると、現在表示されている前記文字が、現在表示されている前記文字とは異なる配置に再配置される、キーボードモジュールと、
前記オンスクリーンキーボードにおいて移動して、前記文字を選択するようにフォーカスを位置付けることを円滑にするように構成された入力デバイスと、
を備え、
文字が選択された後、前記キーボードモジュールが、
知られている語または知られている句に基づいて、選択可能でない１つまたは複数の文字の表示を含む、前記表示するためのオンラインキーボードを再生成し、
前記オンスクリーンキーボードにおいて、最も頻繁に選択されるまたは次に最も選択される可能性の高い利用可能な文字に前記フォーカスを戻す、
ように構成されている、
オンスクリーンキーボードシステム。
【請求項９】
前記キーボードモジュールは、或る言語に関するアルファベットの前記文字を含むように前記オンスクリーンキーボードを生成するようにさらに構成され、さらに前記文字は、前記言語の語の中で最も頻繁に出現する前記文字の前記頻度に基づいて、選択のために配置される、請求項８に記載のオンスクリーンキーボードシステム。
【請求項１０】
前記キーボードモジュールは、或る職業において使用される特定の用語の前記文字を含むように前記オンスクリーンキーボードを生成するようにさらに構成され、さらに前記特定の用語は、前記職業の前記用語の中で最も頻繁に出現する前記特定の用語の前記頻度に基づいて、選択のために配置される、請求項８に記載のオンスクリーンキーボードシステム。
【請求項１１】
前記キーボードモジュールは、最も頻繁に選択される数字の頻度に基づいて選択のために配置された前記数字を含むように前記オンスクリーンキーボードを生成するようにさらに構成される、請求項８に記載のオンスクリーンキーボードシステム。
【請求項１２】
前記キーボードモジュールは、同一の文字を２回選択すること、別の文字に前記フォーカスを移動すること、および、前記オンスクリーンキーボードにおける最も頻繁に選択される文字上に戻るように前記フォーカスの位置を戻すこと、のうちの少なくとも１つのために、相次ぐ文字選択の合間に時間遅延を開始するようにさらに構成される、請求項８に記載のオンスクリーンキーボードシステム。
【請求項１３】
実行されると、グラフィカルユーザーインターフェースを表示するコンピューター実行可能命令が符号化されたコンピューター可読媒体であって、前記グラフィカルユーザーインターフェースが、
最も頻繁に選択される文字の頻度に基づいて選択のために配置された前記文字を含むオンスクリーンキーボードであって、前記文字は、最も頻繁に選択される中央に置かれた文字の周囲に配置され、知られている語または知られている句に基づいて、選択可能でない１つまたは複数の文字の表示を含み、１つまたは複数の前記文字を再配置するためのユーザー入力を受け取ると、現在表示されている前記文字が、現在表示されている前記文字とは異なる配置に再配置される、オンスクリーンキーボードと、
最初に前記中央に置かれた文字上に位置し、文字が選択された後に、前記オンスクリーンキーボードにおける最も頻繁に選択される文字、または、次に最も選択される可能性の高い文字の上に再配置される、オンスクリーンフォーカスと、
選択された文字のオンスクリーンテキスト入力を表示する選択された入力フィールドと、
を含む、コンピューター可読媒体。
【請求項１４】
実行されると、或る言語に関するアルファベットの前記文字を含む前記オンスクリーンキーボードであって、前記文字は、前記言語の語の中で最も頻繁に出現する前記文字の前記頻度に基づいて選択のために配置される前記オンスクリーンキーボードを含む前記グラフィカルユーザーインターフェースを表示するコンピューター実行可能命令がさらに符号化された、請求項１３に記載のコンピューター可読媒体。
【請求項１５】
実行されると、或る職業において使用される特定の用語の前記文字を含む前記オンスクリーンキーボードであって、前記特定の用語は、前記職業の前記用語の中で最も頻繁に出現する前記特定の用語の前記頻度に基づいて選択のために配置される前記オンスクリーンキーボードを含む前記グラフィカルユーザーインターフェースを表示するコンピューター実行可能命令がさらに符号化された請求項１３に記載のコンピューター可読媒体。
【請求項１６】
実行されると、最も頻繁に選択される数字の頻度に基づいて、選択のために配置された数字を有する前記オンスクリーンキーボードを含む前記グラフィカルユーザーインターフェースを表示するコンピューター実行可能命令がさらに符号化された請求項１３に記載のコンピューター可読媒体。